(57)【要約】      （修正有）【課題】ベルヌーイの原理によって圧力差を発生させ、ゴーグル内部で発生される湿気を迅速に排出させることによって、ゴーグル内部と外部との温度差によってレンズに発生する曇りを最小化させることができる曇りが防止されたゴーグルを提供する。【解決手段】レンズ１１１が結合され着用者の顔面を包むフレーム１１０と、フレーム１１０の側面に形成され後方に直径が減少する漏斗状の排出本体１３１及び排出本体１３１の前方に形成されたフィルタ１３２を含む空気排出部１３０と、レンズ１１１と着用者の顔面との間に形成される空気吸入部と、空気吸入部と空気排出部１３０とを連結させ空気排出部１３０の内部に末端部が突出形成される空気移送管とを含む。空気排出部１３０の前方に流入される外部空気が、空気移送管の末端部を過ぎて空気排出部１３０の圧力が低くなる圧力差によって外部空気の流速が速くなることに応じてレンズ１１１内部で発生される湿気が空気移送管を介して空気排出部１３０に移動される。【選択図】図２
0003213658.tif 000002
【実用新案登録請求の範囲】
【請求項１】
前面にレンズが結合され、着用者の顔面を包み込むフレームと、
前記フレームの側面に形成され、後方に直径が減少する漏斗状の排出本体及び前記排出本体の前方に形成されたフィルタを含む空気排出部と、
前記レンズと着用者の顔面との間に形成される空気吸入部と、および、
前記空気吸入部と前記空気排出部との間を連結させ、前記空気排出部の内部に末端部が突出形成される空気移送管と、を含み、
前記空気排出部の前方に流入される外部空気が、前記空気移送管の末端部を過ぎて、前記空気排出部の圧力が低くなる圧力差によって外部空気の流速が速くなることに応じて、前記レンズの内部で発生される湿気が前記空気移送管を介して前記空気排出部に移動されることを特徴とする、曇りが防止されたゴーグル。
【請求項２】
前記レンズと着用者との間に延長形成されるフレームの上部面または下部面に空気流入部をさらに含む、請求項１に記載の曇りが防止されたゴーグル。
【請求項３】
前記レンズと着用者との間に延長形成される前記フレームの上部面または下部面に空気流入部が収容される収納部をさらに含む、請求項１に記載の曇りが防止されたゴーグル。
【請求項４】
前記空気流入部は、
前記収納部に収容されるパネルと、
前記パネルを貫通する複数の孔からなる通風口と、および、
前記収納部に収容され、前記パネルの下部に配置されるフィルタと、を含む、請求項３に記載の曇りが防止されたゴーグル。
【請求項５】
前記空気排出部は、保護部をさらに含む、請求項１に記載の曇りが防止されたゴーグル。
【請求項６】
前記レンズと着用者の顔面との間に形成される空気吸入部は、前記フレーム内部に形成されるものである、請求項１に記載の曇りが防止されたゴーグル。
【考案の詳細な説明】
【技術分野】
【０００１】
本考案は、曇りが防止されたゴーグルに関し、より詳細には、ベルヌーイの原理によってゴーグル内部で圧力差を発生させ、これにより、ゴーグル内部で発生される湿気を迅速に排出させることによって、ゴーグル内部と外部との温度差によってレンズに発生する曇りを最小化させることができる曇りが防止されたゴーグルに関する。
【背景技術】
【０００２】
一般的に、ゴーグルは、スキー、サイクリング、スノーボード、モーターサイクル及びＡＴＶライディング、ペイント−ボーリング、または主に軍用作業のために使用されるものであって、保護メガネが結合されたフレームに頭紐を連結して構成することにより、ユーザーが頭紐を利用して保護メガネが結合されたフレームを顔面部に着用する。
【０００３】
な従来のゴーグルは、ゴーグル内に閉じ込められた暖かくて湿気がある空気とゴーグルレンズの内側表面との間の温度の相当な不均衡が存在する場合には、凝縮が引き起こされ、ゴーグルレンズの内側表面で曇りが発生される。
【０００４】
すなわち、ユーザーの顔面及び目とゴーグル本体との間に形成された空間内で温度及び相対湿度が形成される場合には、露店に到達され、ゴーグルの内側表面で“曇り”のような凝縮が形成され、湿気によってゴーグルを介して前面が見えないようになる。
【０００５】
このような曇りは、ゴーグルユーザーにとって、非常によくある問題であり、このようなゴーグル内の曇り問題に対する解決方法を提示するために、特許文献１などでは、ゴーグルレンズの曇り除去のために、受動気流手段を利用するゴーグルを製造する方法などが開発されたが、このような受動気流手段では曇り除去が具現できない問題が依然として存在する。
【先行技術文献】
【特許文献】
【０００６】
【特許文献１】韓国登録実用新案第０２７０２１９号公報
【考案の概要】
【考案が解決しようとする課題】
【０００７】
本考案は、従来技術の問題点を解決するために、ゴーグル着用者のゴーグル内部で発生する水蒸気をベルヌーイの原理を利用して迅速に排出させることによって、ゴーグル内外部の温度差による曇りを最小化させることができる新しい構造の曇りが防止されたゴーグルを提供することを目的とする。
【課題を解決するための手段】
【０００８】
本考案は、前記課題を解決するために、
前面にレンズが結合され、着用者の顔面を包み込むフレームと、
前記フレームの両側に含まれる空気排出部と、
前記フレーム内側に貫通形成される複数の空気吸入部と、
前記空気吸入部と前記空気排出部とを連結させる空気移送管と、を含み、
内部で発生される湿気が前記空気吸入部を通して吸入されて、前記空気移送管を介して前記空気排出部に排出されるものである、曇りが防止されたゴーグルを提供する。
【０００９】
本考案による曇りが防止されたゴーグルにおいて、前記空気排出部は、前方の直径が後方の直径よりも広く形成される漏斗状の排出本体及び前記排出本体の前方に形成されたフィルタを含むのが好ましい。
【００１０】
本考案による曇りが防止されたゴーグルにおいて、前記空気排出部は、前記フレームの両側面または一側面に形成され、前記空気排出部をカバーするように保護部をさらに含むのが好ましい。
【００１１】
本考案による曇りが防止されたゴーグルは、前記レンズと着用者との間に延長形成されるフレームの上部面または下部面に空気流入部をさらに含むのが好ましい。
【００１２】
本考案による曇りが防止されたゴーグルは、前記レンズと着用者との間に形成されるフレームの上部面または下部面に前記空気流入部が収容される収納部を含むのが好ましい。
【００１３】
本考案による曇りが防止されたゴーグルにおいて、前記空気流入部は、前記収納部に収容されるパネルと、前記パネルを貫通する複数の孔からなる通風口と、前記収納部に収容され、パネルの下部に配置されるフィルタと、を含むのが好ましい。
【００１４】
本考案による曇りが防止されたゴーグルにおいて、前記空気移送管は、前記空気排出部の内部に突出形成されて、外部から流入される空気が前記空気移送管を貫通しながら圧力が低くなることを特徴とする。
【００１５】
本考案による曇りが防止されたゴーグルにおいて、前記レンズと着用者の顔面との間に形成される空気吸入部は、前記フレーム内部に形成されることを特徴とする。
【考案の効果】
【００１６】
本考案による曇りが防止されたゴーグルは、内部で圧力差によって発生される湿気を空気吸入部及び空気移送部を通して空気排出部に迅速に排出させることによって、外部との温度差による曇りを最小化させて、レンズに湿気が発生することを防止できる効果を持つことができる。
【図面の簡単な説明】
【００１７】
【図１】本考案の実施例による曇りが防止されたゴーグルの外観を概略的に示した斜視図である。
【図２】本考案の実施例による曇りが防止されたゴーグルの外観を概略的に示した斜視図である。
【図３】レンズが分離された状態のフレームと空気流入部及び空気吸入部に対する一部分を示した分解斜視図である。
【図４】本考案の一実施例による曇りが防止されたゴーグルの平面を示した平面図である。
【図５】本考案の一実施例による曇りが防止されたゴーグル内部で湿気が空気排出部を通して排出される構造を示した例示図である。
【図６】本考案の一実施例による曇りが防止されたゴーグル内部で湿気が空気排出部を通して排出される構造を示した例示図である。
【考案を実施するための形態】
【００１８】
以下、本考案の好ましい実施例を添付された図面などを参照して詳細に説明する。
【００１９】
先ず、各図面の構成要素などに参照符号を付加することにおいて、同一の構成要素などに  ついては、たとえ他の図面上に表示されても、可能な限り同一の符号を持つようにしていることに留意すべきである。また、本考案を説明することにおいて、関連した公知構成または機能に対する具体的な説明が本考案の要旨を曖昧にすることができると判断される場合には、その詳細な説明は省略する。
【００２０】
明細書の全体において、ある部分が他の部分と“連結”されているとするとき、これは、“直接的に連結”されている場合だけではなく、その中間に他の部材を間に置いて、“間接的に連結”されている場合も含む。また、ある部分がある構成要素を“含む”とするとき、これは特に反対される記載がない限り、他の構成要素を除外するのではなく、他の構成要素をさらに備えることができるということを意味する。
【００２１】
本考案において使用される‘ゴーグル’という用語は、明細書の全般にわたって外形をなすフレームの前面にレンズが結合され、前記フレームのレンズが結合される面の他側面に着用者の顔面と接触されるクッションが結合され、フレームの両側に着用者の頭部分を包み込んで固定するための頭紐が連結される構造を意味する。
【００２２】
図１に示されたように、本考案の実施例による曇りが防止されたゴーグル１００は、前面にレンズが結合され、着用者の顔面を包み込むフレーム１１０と、フレームの側面に形成される空気排出部１３０と、空気吸入部１４０と、前記空気吸入部と前記空気排出部との間を連結させる空気移送管１５０と、を含んでなる。
【００２３】
図１を参照すると、フレーム１１０は、本考案の実施例による曇りが防止されたゴーグル１００の外形をなすものであって、前面にレンズ１１１と結合され、着用者の顔面のうちの目の部分を包み込む形状で製造され、ゴーグル自体が着用者の顔面と密着するように、フレームは、曲線型で製作され、顔面と接する部分は、弾性を持った材質で製造されるのが好ましい。
【００２４】
本考案による曇りが防止されたゴーグル１００において、前記フレーム１１０は、着用者が倒れたり、滑っても着用者の目及び顔面に傷害が加えられることを防止できるように内側にクッションＣと結合され得る。
【００２５】
図１〜図４を参照すると、空気排出部１３０は、排出本体１３１及びフィルタ１３２を含み、フレーム１１０の両側面または一側面に配置され得る。前記空気排出部１３０は、レンズと着用者との間の間隙、またはレンズと着用者との間に位置する空気流入部１２０を通して外部からゴーグル内部に流入された空気を外部に再び排出させる役割を果たすことがができる。ゴーグル内部における空気の循環を容易にするために、排出本体１３１は、前方の直径が後方の直径よりも広く形成される漏斗状に形成され得る。フィルタ１３２は、格子状に形成されて、排出本体１３１の前方に結合されるのが好ましい。
【００２６】
また、本考案による曇りが防止されたゴーグル１００において、前記空気排出部１３０は、前記空気排出部１３０をカバーする保護部（図示せず）をさらに含むことができる。前記保護部は、前記空気排出部１３０が外部に露出され損傷することを防止する役割を果たすことができる。また、保護部は、三角形、楕円形、長方形など、着用者の視野を遮られない範囲で様々な形状で変形されることが可能である。
【００２７】
また、図２に示されたように、本考案による曇りが防止されたゴーグル１００において、前記フレーム１１０は、レンズが取り付けられる前面と着用者の顔面との間に延長形成されるフレームの上部面または下部面に貫通形成される収納部１１２を含み、前記収納部１１２には、空気流入部１２０が収容されるようにすることができる。
【００２８】
図２を参照すると、前記収納部１１２は、レンズが取り付けられる前面と着用者の顔面との間に延長形成されるフレームの上部面に位置するように形成されているが、これは例示であるのみであり、前記フレーム１１０の下部面に形成され得る。
【００２９】
前記収納部１１２は、ゴーグルの形状に応じて、レンズが取り付けられる前面と着用者の顔面との間に延長形成されるフレーム１１０の上部面または下部面に形成され、形状と模様が限定されない。前記収納部１１２は、ゴーグルが着用者の顔面方向に突出して形成されることに応じて、フレーム１１０の上部面両端から中央部に向かって漸進的に広さが広くなるように形成されるのが好ましい。
【００３０】
また、前記収納部１１２は、空気流入部１２０が収容されるように、内部方向に延長されるフランジ状の台が形成され得る。
【００３１】
前記空気流入部１２０は、前記レンズが取り付けられる前面と着用者の顔面との間に延長形成されるフレーム１１０の上部面または下部面に形成される前記収納部１１２に収容され、具体的には、パネル１２１と、通風口１２２と、フィルタ１２３と、を含んでなる。
【００３２】
ここで、パネル１２１は、通風口１２２を含んで収納部１１２に収容されて、ゴーグル外部から空気がゴーグル内部に流入されるようにする。通風口１２２は、パネル１２１を貫通する複数の孔からなることができる。示された図１及び図２を参照すると、前記通風口１２２は、両端が円弧状で所定の長さを持つ形状であり、前記パネル１２１の一端から他端に向かって漸進的に長くなる形状で配置され得る。一方、前記フィルタ１２３は、前記パネル１２１の下部に配置されることができ、前記通風口１２２を通してゴーグル内に流入される空気に異物が混じっている場合には、着用者の目を保護する役割を果たすことができる。
【００３３】
空気吸入部１４０は、図５及び図６に示されたように、フレーム１１０の内側に連通されて貫通形成されるとか、別途に外部に露出されてレンズと着用者との間に形成され得る。
【００３４】
再び説明すると、空気吸入部１４０は、図５に示されたように、ゴーグルの外形をなす下部フレーム１１０の上面に複数で貫通形成された孔からなることができ、前記複数の孔が相互連通されるように、フレーム１１０の内部が管状からなるのが好ましい。空気吸入部１４０は、図３に示されたように、楕円形で形成されているが、様々な図形の形状に代替され得る。
【００３５】
また、前記空気吸入部１４０をフレームの内部を貫通して形成するのが困難である場合には、図６に示されたように、別途の空気吸入部をレンズ下部に含ませるのが可能である。加えて、前記空気吸入部１４０は、複数で貫通形成された孔の厚さ、形状、間隔、個数は限定されず、必要に応じて自由に調節され得る。
【００３６】
空気移送管１５０は、一端が前記空気吸入部１４０と連通し、他端が空気排出部１３０と連通するように形成され得る。ここで、空気移送管１５０は、前記空気吸入部１４０の一端と同一の直径で形成され連通されるのが好ましい。また、空気移送管１５０の他端が空気排出部１３０の内部に突出貫通され得る。
【００３７】
図５及び図６を参照すると、空気移送管１５０は、一端が空気吸入部１４０の一端と連通され、他端が空気排出部１３０の下部を貫通して内周面の一側から仮想の中心点を通過して内周面の他側と所定距離離隔される距離だけ突出するように延長されて形成され得る。
【００３８】
このように、空気移送管１５０が空気排出部１３０の内部に突出して形成される場合には、ベルヌーイの原理によって空気排出部１３０によって外部から流入される空気が空気移送管１５０によって狭くなった内部を過ぎて圧力が低くなる。本考案の実施例による曇りが防止されたゴーグル１００は、空気排出部１３０に流入される空気が空気排出部の内部に突出形成される空気移送管１５０によって圧力が低くなることに応じて、吸入力が発生するようになり、このような圧力差によって発生する吸入力によってレンズ１１１に発生された湿気が空気排出部１３０を通して継続的に排出されることが可能である。
【００３９】
再び説明すると、図５及び図６の“Ａ”に示されたように、空気排出部１３０の前方に外部空気が流入され、流入された空気が空気排出部１３０の直径が狭くなる中央部を過ぎて、直径の減少によって速力が増加しながら内部圧力が低くなる。また、空気移送管１５０の他端が空気排出部の内部に延長形成されるので、空気排出部の面積がさらに狭くなりながらベルヌーイの原理によって流入空気の速力がより増加しながら、内部圧力がより低くなる。このような圧力の減少に応じて、ゴーグル内部の空気が空気排出部に継続的に吸入されるようになる。すなわち、本考案の実施例による曇りが防止されたゴーグル１００は、圧力差を利用してレンズ１１１に発生される湿気を空気吸入部１４０に移動させ、空気吸入部１４０の湿気は、空気移送管１５０に沿って圧力が低い空気排出部１３０に移動させることによって、レンズ１１１に湿気が発生されることを最小化させることが可能である。
【００４０】
前述した本考案の説明は、例示のためのものであり、本考案が属する技術分野における通常の知識を有する者は、本考案の技術的思想や必須の特徴を変更せず、他の具体的な形態で容易に変形が可能であるということを理解することができるだろう。従って、以上で記述した実施例は、すべての面で例示的なものであり、限定的ではないものと理解すべきである。例えば、単一型で説明されている各構成要素は、分散され実施されることもでき、同様に、分散されたものと説明されている構成要素なども結合された形態で実施され得る。
【００４１】
本考案の範囲は、後述する実用新案登録請求の範囲によって示され、実用新案登録請求の範囲の意味及び範囲、そして、その均等概念から導き出されるすべての変更または変形された形態が本考案の範囲に含まれるものと解釈されるべきである。
【符号の説明】
【００４２】
１００        曇りが防止されたゴーグル
１１０        フレーム
１１１        レンズ
１１２        収納部
１２０        空気流入部
１２１        パネル
１２２        通風口
１２３        フィルタ
１３０        空気排出部
１３１        本体
１３２        フィルタ
１４０        空気吸入部
１５０        空気移送管
【図１】
0003213658.tif 000003
【図２】
0003213658.tif 000004
【図３】
0003213658.tif 000005
【図４】
0003213658.tif 000006
【図５】
0003213658.tif 000007
【図６】
0003213658.tif 000008